(57)【要約】【課題】  容器を交換することなく希望する飲料を収容して円滑に吸引することができる飲料用吸引補助具を提供する。【解決手段】  飲料を収容する有底筒状の飲料用容器２に、着脱可能に装着される飲料用吸引補助具１であって、飲料用容器２の底部４と開口部５とにわたって延び、長手方向に垂直な断面が凹状の吸引流路形成部８と、吸引流路形成部８の長手方向に垂直な幅方向の両側に連なる当接部１１であって、飲料用容器２に収容された状態で飲料用容器２の内周面１３に当接する当接部１１と、を含み、吸引流路形成部８は、内周面１３に臨んで長手方向の全長にわたって延びる開口１４を有し、開口１４の幅方向の両側が内周面１３に気密に接触する。【選択図】      図１
2020192308.tif 000002
【特許請求の範囲】
【請求項１】
飲料を収容する有底筒状の容器に、着脱可能に装着される飲料用吸引補助具であって、
前記容器の底部と開口部とにわたって延び、長手方向に垂直な断面が凹状の吸引流路形成部と、
前記吸引流路形成部の長手方向に垂直な幅方向の両側に連なる当接部であって、前記容器に収容された状態で前記容器の内周面に当接する当接部と、を含み、
前記吸引流路形成部は、前記内周面に臨んで前記長手方向の全長にわたって延びる開口を有し、前記幅方向の前記開口の両側が前記内周面に気密に接触することを特徴とする飲料用吸引補助具。
【請求項２】
前記吸引流路形成部の前記開口部に位置する端部に連なり、前記開口部から突出する筒状の飲み口部を、さらに含むことを特徴とする請求項１に記載の飲料用吸引補助具。
【請求項３】
前記吸引流路形成部の前記開口部に位置する端部に前記内側から気密に接触する凹状の押さえ部を有し、前記開口部に着脱可能に装着されて前記開口部を塞ぐ蓋体を、さらに含むことを特徴とする請求項１または２に記載の飲料用吸引補助具。
【発明の詳細な説明】
【技術分野】
【０００１】
本発明は、飲料用容器に着脱可能に装着される飲料用吸引補助具に関する。
【背景技術】
【０００２】
飲料用容器であるコップに収容された飲料を吸引する場合に、ストローが多用されている。ストローは、樹脂から成る軽量な筒状体であり、コップ内で飲料が流動すると、これにともなって容易にコップ内を移動してしまう。飲料を吸引するときには、コップに差し込まれたストローが不用意に移動しないようにストローを手指で把持しなければならない。
【０００３】
このような問題を解決する従来技術は、たとえば特許文献１に記載されている。特許文献１には、飲料を吸引するためのガイド孔が、底部上面近傍から開口部にわたって、周壁内に形成された有底筒状のコップ体と、ガイド孔の上部に接続される吸い口と、コップ体の開口部を覆うキャップと、を含んだ吸い口付きコップが記載されている。吸い口付きコップでは、ガイド孔は、周壁内に形成されているので、コップ体の一定の位置に吸い口が保持され、上記ストローのようにコップ内で移動することはない。
【０００４】
コップ体に収容される飲料としては、水や茶などのほかに流動食、スムージなどの粘性物、果肉などの固形物を含んだものがある。飲料が水や茶などの粘度の低い液体である場合には、ガイド孔の口径は、たとえば４ｍｍ程度の比較的小さい方が吸引しやすく、ガイド孔の口径が大きくなると、吸引しにくい。飲料が流動食やスムージなどの粘性物の場合には、ガイド孔の口径がたとえば５〜８ｍｍ程度の比較的大きい方が吸引しやすい。また、飲料が固形物を含んでいる場合には、ガイド孔の口径は該固形物よりも大きくなければならない。
【先行技術文献】
【特許文献】
【０００５】
【特許文献１】実開昭５６−１２８０８３号公報
【発明の概要】
【発明が解決しようとする課題】
【０００６】
特許文献１に記載の吸い口付きコップでは、コップ体に収容された飲料の粘度が高い場合および固形物を含む場合には、周壁に形成されたガイド孔によって円滑に吸引できない場合が生じ、使用者は、ガイド孔の口径で吸引できる種類の飲料しか吸い口付きコップを利用することができず、飲料の種類に応じて吸引可能な口径のガイド孔が形成された吸い口付きコップ全体を交換しなければならないという問題がある。
【０００７】
本発明の目的は、容器を交換することなく希望する飲料を収容して円滑に吸引することができる飲料用吸引補助具を提供することである。
【課題を解決するための手段】
【０００８】
本発明は、飲料を収容する有底筒状の容器に、着脱可能に装着される飲料用吸引補助具であって、
前記容器の底部と開口部とにわたって延び、長手方向に垂直な断面が凹状の吸引流路形成部と、
前記吸引流路形成部の長手方向に垂直な幅方向の両側に連なる当接部であって、前記容器に収容された状態で前記容器の内周面に当接する当接部と、を含み、
前記吸引流路形成部は、前記内周面に臨んで前記長手方向の全長にわたって延びる開口を有し、前記幅方向の前記開口の両側が前記内周面に気密に接触することを特徴とする飲料用吸引補助具である。
【０００９】
また本発明は、前記吸引流路形成部の前記開口部に位置する端部に連なり、前記開口部から突出する筒状の飲み口部を、さらに含むことを特徴とする。
【００１０】
また本発明は、前記吸引流路形成部の前記開口部に位置する端部に内側から気密に接触する凹状の押さえ部を有し、前記開口部に着脱可能に装着されて前記開口部を塞ぐ蓋体を、さらに含むことを特徴とする。
【発明の効果】
【００１１】
本発明によれば、飲料用吸引補助具は、吸引流路形成部の長手方向に垂直な幅方向の両側に連なり、容器に収容された状態で容器の内周面に当接する当接部を含んでいるので、吸引流路形成部は、幅方向の両側が容器の内周面に気密に接触した状態で、容器内の一定の位置に保持される。飲料用吸引補助具は、容器に着脱可能であるので、容器に収容されている飲料を円滑に吸引することができる適切なサイズの吸引流路形成部を有する飲料用吸引補助具を予め準備しておき、その飲料用吸引補助具を容器に装着して、容器に対して一定位置にある吸引流路形成部の前記開口部に位置する端部から容器を傾けずに飲料を吸引して飲むことができる。これによって、容器自体を交換することなく、たとえば市販の紙製または樹脂製のコップを用いて、希望する飲料を円滑に吸引して飲むことができる。
【００１２】
飲料用吸引補助具は、容器の内周面に当接する当接部を含んでおり、飲料用吸引補助具が容器に装着されると、当接部によって、容器が内側から支持されるので、使用者が容器を把持する把持力によって容器が変形しにくくなる。容器のサイズが大きく収容される飲料の容量が大きい場合であっても、使用者は容器を変形させずにしっかりと安定して容器を把持することができ、容器を把持している手からその容器を滑らせて落下させてしまうという不具合が防がれる。
【００１３】
また本発明によれば、容器の開口部に位置する吸引流路形成部の端部に連なり、開口部から突出する筒状の飲み口部を含むので、飲料を飲み口部から直接、口の中へ吸引して導入することができ、吸引している人が、飲料を口からこぼすことを防止することができる。
【００１４】
また本発明によれば、蓋体で容器の開口部が塞がれるので、容器に収容された飲料が容器からこぼれることが防がれ、可搬性を向上することができる。
【図面の簡単な説明】
【００１５】
【図１】本発明の第１実施形態に係る飲料用吸引補助具１の部品構成を示す斜視図である。
【図２】飲料用容器２に装着された飲料用吸引補助具１の斜視図である。
【図３】図２における切断面線Ａ−Ａで切断した、飲料用容器２に装着された飲料用吸引補助具１の断面図である。
【図４】飲料用吸引補助具１の本体部６の斜視図である。
【図５】飲料用吸引補助具１の本体部６の平面図である。
【図６】飲料用吸引補助具１の本体部６の底面図である。
【図７】飲料用吸引補助具１の本体部６の正面図である。
【図８】飲料用吸引補助具１の本体部６のブランク材２２を示す図である。
【図９】飲料用吸引補助具１の本体部６の製造手順を模式的に示す図である。
【図１０】飲料用吸引補助具１の本体部６の製造手順を模式的に示す図である。
【図１１】ブランク材２２の両側部２６の接合状態を示す断面図である。
【図１２】飲料用吸引補助具１の本体部６の断面構造の一例を示す模式図である。
【図１３】蓋体９を図１とは反対側から見た斜視図である。
【図１４】蓋体９の平面図である。
【図１５】蓋体９の正面図である。
【図１６】図１４における切断面線Ｂ−Ｂで切断した蓋体９の断面を示す図である。
【図１７】図３におけるＣ部の拡大図である。
【図１８】図３におけるＤ部の拡大図である。
【図１９】第２実施形態に係る飲料用容器２に飲料用吸引補助具１０１が装着された状態の斜視図である。
【図２０】第３実施形態に係る飲料用容器２に飲料用吸引補助具３１が装着された状態を示す斜視図である。
【図２１】第４実施形態に係る飲料用吸引補助具５１の斜視図である。
【図２２】第５実施形態に係る飲料用容器２に飲料用吸引補助具７１が装着された状態を示す斜視図である。
【図２３】飲料用吸引補助具７１の斜視図である。
【図２４】図２２における切断面線Ｅ−Ｅで切断した、飲料用容器２に装着された飲料用吸引補助具７１の断面図である。
【図２５】飲料用吸引補助具７１の平面図である。
【図２６】飲料用吸引補助具７１の底面図である。
【図２７】飲料用吸引補助具７１の正面図である。
【発明を実施するための形態】
【００１６】
図１は本発明の第１実施形態に係る飲料用吸引補助具１の部品構成を示す斜視図である。図２は、飲料用容器２に装着された飲料用吸引補助具１の斜視図である。図３は、図２における切断面線Ａ−Ａで切断した、飲料用容器２に装着された飲料用吸引補助具１の断面図である。図４は、飲料用吸引補助具１の本体部６の斜視図であり、図５は、飲料用吸引補助具１の本体部６の平面図である。図６は、飲料用吸引補助具１の本体部６の底面図であり、図７は、飲料用吸引補助具１の本体部６の正面図である。
【００１７】
飲料用吸引補助具１は、たとえばコーヒー、日本茶、紅茶、ジュース、スムージ、牛乳、発泡酒、炭酸水などの飲料を収容する有底筒状の飲料用容器２に、飲料用容器２に収容された飲料を吸引するために、着脱可能に装着される。飲料用吸引補助具１の本体部６は、下端部２１が、飲料用容器２の底部４の上面近傍に位置した状態で、底部４の上面近傍から開口部５にわたって延び、飲料用容器２の周壁７に半径方向内方から臨んで開口する凹状の吸引流路形成部８と、吸引流路形成部８の長手方向の全長にわたって、長手方向に垂直な幅方向の両側に連なり、周壁７の内周面１３に内側から当接する当接部１１と、を含む。
【００１８】
図８は、飲料用吸引補助具１の本体部６のブランク材２２を示す図であり、図９および図１０は、飲料用吸引補助具１の本体部６の製造手順を模式的に示す図である。図１１は、ブランク材２２の両側部２６の接合状態を示す断面図である。本実施形態が撥水性を有する加工紙から成る飲料用吸引補助具１の製造方法を一例として説明する。ブランク材２２が、図８に示すように、中心線Ｌ２を有する扇形であり、長尺な直円柱状の凸状部２４を含むダイ２３に、中心線Ｌ２が凸状部２４の長手方向と平行になるように、凸状部２４の上面に位置した状態で載置される。この状態で、紙面の左右から凸状部２４に向かって一対の押付け部材２５を移動させて、図１０に示すように、ブランク材２２を凸状部２４の幅狭な基端部２８に沿わせる。このようにして、吸引流路形成部８が形成される。その後、図１０に示すように、ブランク材２２の両側部２６が、それぞれ折曲線２７で折返され、折返し部２９同士が係合した状態で接合され、円錐台の周面を成す筒状の飲料用吸引補助具１の本体部６が形成される。
【００１９】
本体部６の材料として、紙、金属、陶器などを用いることができる。たとえば、パルプとビニールなどの樹脂とを混合して樹脂を熱硬化させたもの、竹、すすきなどの繊維と樹脂とを混合して樹脂を熱硬化させたもの、繊維強化プラスチック(Fiber Reinforced Plastics）などが挙げられる。金属として、たとえば銅、アルミニウム、真鍮、鉄、などを用いることができる。これらの金属は、めっき、塗装、化学処理などをして用いることができる。陶器としては、たとえばセラミックなどを用いることができる。
【００２０】
図１２は、飲料用吸引補助具１の本体部６の断面構造の一例を示す模式図である。本体部６の断面構造は、たとえば内側から樹脂層４０、第１紙層４２、発泡樹脂層４３、第２紙層４４を積層してなる積層原紙４６によって成形することができる。発泡樹脂層４３として、ポリエチレン、ポリプロピレン、ポリエチレンテレフタレート樹脂などの熱可塑性樹脂を採用できる。該発泡樹脂層４３は、飲料用吸引補助具１が成形された後、加熱することにより、第１紙層４２及び第２紙層４４から蒸発した水分が浸透して発泡する。発泡樹脂層４３は、第１紙層４２、第２紙層４４にサンドイッチ状に挾まれているので、発泡樹脂層４３を良好に発泡させることができ、且つ発泡樹脂層４３が積層原紙４６の表面に露見することがなく、表面が平滑な飲料用吸引補助具１を得ることができる。飲料用吸引補助具１は、断熱性に優れており、飲料用容器２に、コーヒー、日本茶、紅茶などの高温の液体が収容されている場合に、使用者は、熱さを感じずに飲料用容器２を把持することができる。
【００２１】
図１３は、蓋体９を図１とは反対側から見た斜視図である。図１４は、蓋体９の平面図であり、図１５は、蓋体９の正面図であり、図１６は、図１４における切断面線Ｂ−Ｂで切断した蓋体９の断面を示す図である。図１７は、図３におけるＣ部の拡大図であり、図１８は、図３におけるＤ部の拡大図である。
【００２２】
飲料用吸引補助具１は、飲料用容器２の開口部５に着脱可能に装着されて開口部５を塞ぐ蓋体９をさらに含んでいる。開口部５には、半径方向外方に凸となる円環状のフランジ部１６が全周にわたって形成されている。蓋体９は、開口部５を覆う円板状の壁部８１と、壁部８１の周囲に円環状に形成れ、下方に開口された溝部８２と、を有している。溝部８２を構成する外周壁８３の内面には、周方向に細長な凸状部１９が形成されており、使用者が、飲料用容器２のフランジ部１６が、外周壁８３の凸状部１９と上部壁８６との間に嵌合される状態まで蓋体９を押込むことによって、蓋体９を飲料用容器２に装着できる。
【００２３】
蓋体９の周縁であって、溝部８２よりも半径方向内方には、壁部８１から垂直に立ち上がる飲み口部３が形成されている。飲料用容器２のフランジ部１６が溝部８２に嵌合された状態で、吸引流路形成部８の上部２０が飲み口部３の内周壁３０内面に当接しており、これによって飲み口部１２は、吸引流路形成部８に気密に接続される。
【００２４】
飲み口部３は上方に向かって径が小さくなるように形成されており、溝部８２は上方に向かって幅が狭くなるように形成されている。これによって、蓋体９を積み重ねて、嵩張ることなく保管および運搬することができる。
【００２５】
飲み口部３の開口部３２は、蓋体９の半径方向内側に向かって凸となる半円状に形成されており、使用者は、飲み口部３を使用者側に位置させた状態で、半円状の飲み口部３を口の中に容易に挿入して、口の中へ飲料を吸引して導入することができ、吸引している人が、飲料を口からこぼすことを防止することができる。
【００２６】
蓋体９の中央部には十字の切り込み１０が形成されており、切り込み１０にストローを差し込んで、飲料用容器２に収容された飲料を吸引することもできる。たとえば、飲料用容器２に収容された飲料が固形物を含んでいる場合に、飲料用容器２に装着された吸引流路形成部８の開口１４によって固形物を吸引し、切り込み１０に差し込んだストローによって、固形物以外の飲料を吸引することもできる。
【００２７】
また、本実施形態において、蓋体９には、十字の切り込み１０が形成されており、使用者が吸引流路形成部８から飲料を吸引するとき、切り込み１０から飲料用容器２内に空気が流入する。これによって、飲料用容器２内が大気圧よりも低い負圧になり、飲料を吸引しにくくなることを防止できる。
【００２８】
飲料用吸引補助具１は、飲料用容器２の材料と同じ材料を用いて作製することが好ましく、たとえば、飲料用容器２がポリプロピレンなどの熱可塑性樹脂から成る場合であれば、ポリプロピレンなどの熱可塑性樹脂をモールド成型することによって作製することができる。飲料用容器２が加工紙の場合には、加工紙を用いて作製することもできる。
【００２９】
自然状態において、飲料用吸引補助具１の外径は、軸線Ｌ１方向の全長にわたって、飲料用容器２の対向する軸線Ｌ１に沿う高さ位置の内径よりも大きく形成されており、飲料用吸引補助具１は、吸引流路形成部８の長手方向に垂直な幅方向の長さが、図４に記載される自然状態の長さＷよりも短くなるように弾性変形した状態で、飲料用容器２に装着される。
【００３０】
飲料用吸引補助具１は、吸引流路形成部８の長手方向の全長にわたって、長手方向に垂直な幅方向の両側に連なり、飲料用容器２の内周面１３に内側から当接する当接部１１を有するので、飲料用容器２内に飲料用吸引補助具１が保持され、飲料を吸引するための開口１４が飲料用容器２内の一定の位置に維持される。飲料用吸引補助具１は、飲料用容器２に着脱可能であるので、飲料用容器２に収容されている飲料に適切なサイズの吸引流路形成部８が形成された飲料用吸引補助具１を飲料用容器２に装着して使用することができる。
【００３１】
飲料用吸引補助具１は、周壁７の内周面１３に当接する当接部１１を含んでおり、飲料用吸引補助具１が飲料用容器２に装着されると、当接部１１によって飲料用容器２が内側から補強されるので、使用者が飲料用容器２を把持する把持力によって、飲料用容器２が変形することを抑制することができる。飲料用容器２の容量が大きい場合であっても、安定した状態で飲料用容器２を把持することができ、飲料用容器２を把持している手から滑らせて、飲料用容器２を落下させることが防がれる。
【００３２】
本実施形態において、飲料用吸引補助具１は、吸引流路形成部８と、吸引流路形成部８の幅方向両側に連なる当接部１１と、を含んだ略円筒状の本体部６を含んでいる。本体部６は、飲料用容器２に装着された状態で、当接部１１が飲料用容器２の内周面１３から半径方向の押圧力を受ける。この押圧力が作用する吸引流路形成部８は、長手方向に延びる幅方向の開口１４の両側が、内周面１３に気密に接触することができる。
【００３３】
吸引流路形成部８の長手方向に垂直な断面は、たとえば、図４に示すように、飲料用容器２の周壁７に半径方向内方から臨んで開口する凹状であり、たとえば円弧によって規定され、幅Ｗが深さＤに対して大きい形状とすることができる。吸引流路形成部８の断面がこのような形状であると、飲料を吸引する人の横長な口の形状に吸引流路形成部８をフィットさせることができる。これによって、吸引している人が、飲料を口からこぼすことを防止することができる。
【００３４】
本実施形態の飲料用吸引補助具１では、吸引流路形成部８の下端部２１が、飲料用容器２の底部４近傍に位置しており、使用者は、飲料用容器２を傾けずに、飲料用容器２の底部に溜まった飲料を飲むことができる。これによって、飲料用容器２の飲料を飲むときに、傾けた飲料用容器２によって、使用者の視界が遮られて不快感を抱くことを防止できる。
【００３５】
さらに、本体部６は、複数個重ねることができ、これによって飲料用吸引補助具１を、嵩張ることなく保管および運搬することができる。
【００３６】
図１９は、第２実施形態に係る飲料用容器２に飲料用吸引補助具６２が装着された状態の斜視図である。第1実施形態の説明と対応する部分については、同一の参照符を付し、重複する説明は省略する。飲料用吸引補助具６２は、蓋体６３を含んでいる。蓋体６３は、飲料用容器２の開口部５が嵌合される円環状の溝部８２の上部から立ち上がる球面状の周壁６４を有しており、周壁６４の上部に開口部６５が形成されている。
【００３７】
飲料用容器２に収容された収容物が、たとえば、シロップがかけられた氷の上にクリームとともに果物などの固形物が載せられたパフェであれば、飲料用吸引補助具６２の使用者は、氷の上に載せられた固形物をスプーン６６などを用いて口の中に導入することができ、飲料用容器２の底部４に溜まった、シロップが混ざった氷水やクリームなどの半固形物を、吸引流路形成部８を介して、溝部８２よりも半径方向内方に形成された飲み口部３から吸引することができる。
【００３８】
図２０は、第３実施形態に係る飲料用容器２に飲料用吸引補助具３１が装着された状態を示す斜視図である。第１実施形態の説明と対応する部分については同一の参照符を付し、重複する説明は省略する。本実施形態に係る飲料用吸引補助具３１では、当接部４１は、吸引流路形成部８の長手方向の一部の領域に、吸引流路形成部８の長手方向に垂直な幅方向の両側に環状に連なるように設けられている。当接部４１は、周壁７の内周面１３に内側から当接しており、これによって、吸引流路形成部８は、幅方向の開口１４の両側が長手方向の全長にわたって内周面１３に気密に接触している。
【００３９】
このような構成であると、当接部４１が吸引流路形成部８の長手方向の全長にわたって設けられている場合に比べて、当接部４１の面積が小さくなり、飲料用容器２に収容されている飲料を、飲料用容器２の周壁７の外側から視認しやすくなる。また、当接部４１が吸引流路形成部８の長手方向の全長にわたって設けられている場合に比べて、樹脂などの使用する材料を少なくして軽量化することができ、製造コストの削減を図ることができる。
【００４０】
図２１は第４実施形態に係る飲料用吸引補助具５１の斜視図である。第１実施形態および第２実施形態の説明と対応する部分については同一の参照符を付し、重複する説明は省略する。飲料用吸引補助具５１は、樹脂のうち弾性変形可能なものを用いて作製可能であり、吸引流路形成部８の長手方向の全長にわたって、長手方向に垂直な幅方向の両側に、それぞれ連なる一対の当接部６１が設けられている。当接部６１同士は離間しており、飲料用吸引補助具５１の長手方向に垂直な幅方向の断面はＣ字状である。飲料用吸引補助具５１は、飲料用容器２に装着された状態で、当接部６１が、周壁７の内周面１３に弾発的に当接しており、これによって、吸引流路形成部８は、幅方向の開口１４の両側が、内周面１３に気密に接触することができる。
【００４１】
このように、吸引流路形成部８の両側に連なる一対の当接部６１が互いに離間しており、各当接部６１が飲料用容器２の内周面１３に弾発的に当接する構成であると、内径が異なる複数種類の飲料用容器２に装着することができる。
【００４２】
図２２は本発明の第５実施形態に係る飲料用容器２に、飲料用吸引補助具７１が装着された状態を示す斜視図であり、図２３は飲料用吸引補助具７１の斜視図であり、図２４は飲料用吸引補助具７１が飲料用容器２に装着された状態の断面図である。図２５は飲料用吸引補助具７１の平面図であり、図２６は飲料用吸引補助具７１の底面図であり、図２７は飲料用吸引補助具７１の正面図である。第1実施形態〜第３実施形態の説明と対応する部分については同一の参照符を付し、重複する説明は省略する。
【００４３】
飲料用吸引補助具７１は、吸引流路形成部８の開口部５に位置する端部１７に連なり、飲料用容器２の開口部５から突出する筒状の飲み口部３を含んでいる。飲み口部３の断面は、細長な環状に形成されており、飲料を吸引する人の横長な口の形状に飲み口部３から直接、口に中へ吸引して導入することができる。これによって、吸引している人が、飲料を口からこぼすことを防止することができる。
【００４４】
飲料用吸引補助具７１は、開口部５に位置する吸引流路形成部８の端部１７に内側から気密に接触する凹状の押さえ部１５を有し、開口部５に着脱可能に装着されて開口部５を塞ぐ蓋体９を含むので、蓋体９で飲料用容器２の開口部５を塞いだ状態で飲料用容器２に収容された飲料を吸引することができる。
【００４５】
本実施形態では、飲料用容器２の開口部５に位置する吸引流路形成部８の端部１７に連なり、開口部５から突出する筒状の飲み口部３を含んでいる。飲み口部３は、吸引流路形成部８および当接部１１と同じ、樹脂のうち弾性変形可能なものを用いて作製することができ、また、加工紙を用いて作製することもできる。飲み口部３を設けることによって、飲料を飲み口部３から直接、口の中へ吸引して導入することができ、吸引している人が飲料を口からこぼさずに飲料用容器２の飲料を吸引することができる。
【００４６】
蓋体９の中央部には十字の切り込み１０が形成されており、切り込み１０にストローを差し込んで、飲料用容器２に収容された飲料を吸引することもできる。たとえば、飲料用容器２に収容されている飲料が固形物を含んでいる場合に、飲料用容器２に装着された吸引流路形成部８の開口１４によって固形物を吸引し、切り込み１０に差し込んだストローによって、固形物以外の飲料を吸引することもできる。
【００４７】
このように、飲料を収容する有底筒状の飲料用容器２に、着脱可能に装着される飲料用吸引補助具１であって、飲料用容器２の底部４と開口部５とにわたって延び、長手方向に垂直な断面が凹状の吸引流路形成部８と、吸引流路形成部８の長手方向に垂直な幅方向の両側に連なる当接部１１であって、飲料用容器２に収容された状態で飲料用容器２の内周面１３に当接する当接部１１と、を含み、吸引流路形成部８は、内周面１３に臨んで長手方向の全長にわたって延びる開口１４を有し、開口１４の幅方向の両側が内周面１３に気密に接触するので、吸引流路形成部８は、幅方向の両側が飲料用容器２の内周面１３に気密に接触した状態で、飲料用容器２内の一定の位置に保持される。飲料用吸引補助具１は、飲料用容器２に着脱可能であるので、飲料用容器２に収容されている飲料を円滑に吸引することができる適切なサイズの吸引流路形成部８を有する飲料用吸引補助具１を予め準備しておき、その飲料用吸引補助具１を飲料用容器２に装着して、飲料用容器２に対して一定位置にある吸引流路形成部８の開口部５に位置する端部１７から飲料用容器２を傾けずに飲料を吸引して飲むことができる。これによって、飲料用容器２自体を交換することなく、たとえば市販の紙製または樹脂製のコップを用いて、希望する飲料を円滑に吸引して飲むことができる。
【００４８】
飲料用吸引補助具１は、飲料用容器２の内周面１３に当接する当接部１１を含んでおり、飲料用吸引補助具１が飲料用容器２に装着されると、当接部１１によって、飲料用容器２が内側から支持されるので、使用者が飲料用容器２を把持する把持力によって容器が変形しにくくなる。飲料用容器２のサイズが大きく収容される飲料の容量が大きい場合であっても、使用者は飲料用容器２を変形させずにしっかりと安定して飲料用容器２を把持することができ、飲料用容器２を把持している手からその飲料用容器２を滑らせて落下させてしまうという不具合が防がれる。
【００４９】
さらに、飲料用容器２の開口部５に位置する吸引流路形成部８の端部１７に連なり、開口部５から突出する筒状の飲み口部３を含むので、飲料を飲み口部３から直接、口の中へ吸引して導入することができ、吸引している人が、飲料を口からこぼすことを防止することができる。
【００５０】
また、吸引流路形成部８の開口部５に位置する端部１７に内側から気密に接触する凹状の押さえ部１５を有し、開口部５に着脱可能に装着されて開口部５を塞ぐ蓋体９を、さらに含むので、飲料用容器２に収容された飲料が飲料用容器２からこぼれることが防がれ、可搬性を向上することができる。
【符号の説明】
【００５１】
１，３１，５１，６２，７１  飲料用吸引補助具
２  飲料用容器
３，１２  飲み口部
４  底部
５，６５  開口部
６  本体部
７，６４  周壁
８  吸引流路形成部
９，６３  蓋体
１０  切り込み
１１，４１，６１当接部
１３  内周面
１４  開口
１５  押さえ部
１６  フランジ部
１７  端部
１９  凸状部
２０  上部
２１  下端部
２２  ブランク材
２３  ダイ
２４  凸状部
２５  押付け部材
２６  側部
２７  折曲線
２８  基端部
２９  折返し部
３０  内周壁
３２  開口部
４０  樹脂層
４２  第１紙層
４３  発泡樹脂層
４４  第２紙層
４６  積層原紙
６６  スプーン
８１  壁部
８２  溝部
８３  外周壁
８６  上部壁
【図１】
2020192308.tif 000003
【図２】
2020192308.tif 000004
【図３】
2020192308.tif 000005
【図４】
2020192308.tif 000006
【図５】
2020192308.tif 000007
【図６】
2020192308.tif 000008
【図７】
2020192308.tif 000009
【図８】
2020192308.tif 000010
【図９】
2020192308.tif 000011
【図１０】
2020192308.tif 000012
【図１１】
2020192308.tif 000013
【図１２】
2020192308.tif 000014
【図１３】
2020192308.tif 000015
【図１４】
2020192308.tif 000016
【図１５】
2020192308.tif 000017
【図１６】
2020192308.tif 000018
【図１７】
2020192308.tif 000019
【図１８】
2020192308.tif 000020
【図１９】
2020192308.tif 000021
【図２０】
2020192308.tif 000022
【図２１】
2020192308.tif 000023
【図２２】
2020192308.tif 000024
【図２３】
2020192308.tif 000025
【図２４】
2020192308.tif 000026
【図２５】
2020192308.tif 000027
【図２６】
2020192308.tif 000028
【図２７】
2020192308.tif 000029